(57)【要約】【課題】携帯電話端末を利用した呼び出しが、携帯電話端末の電源切れ状態でも可能とする。応答したくない来訪者による不快な呼び出しを回避する。オートロック型ドアのセキュリティー機能を向上させる。【解決手段】玄関装置２に、携帯電話端末３をインターフェース２ａに接続することによりそれに電源供給しながらその電話番号を読み取り、呼び出し対象の部屋の室内装置７へ送信する電話番号読取手段を備える。室内装置７に、玄関装置２から送信されてきた電話番号を電話帳データベース９と照合することにより、来訪者を認証する電話番号認証手段と、これにて認証ＯＫとされたとき、当該部屋の住人の携帯電話端末８と無線接続し、玄関装置２に接続された携帯電話端末３との端末間通信を可能にする端末間通信中継手段とを備える。【選択図】  図１
2009124394.tif 000002
【特許請求の範囲】
【請求項１】
共同玄関に設置され、キー操作にて所望の部屋呼び出しを行う玄関装置と、これと有線接続して部屋内に設置され、それからの呼び出しに応じて共同玄関のドアを解錠できる室内装置とからなる集合住宅用インターホンシステムにおいて、
前記玄関装置に、携帯電話端末をインターフェースに接続することによりそれに電源供給しながらその電話番号を読み取り、呼び出し対象の部屋の前記室内装置へ送信する電話番号読取手段を備え、
前記室内装置に、前記玄関装置から送信されてきた電話番号を電話帳データベースと照合することにより、来訪者を認証する電話番号認証手段と、これにて認証ＯＫとされたとき、当該部屋の住人の携帯電話端末と無線接続し、前記玄関装置に接続された前記携帯電話端末との端末間通信を可能にする端末間通信中継手段とを備えたことを特徴とする、携帯電話端末を利用した集合住宅用インターホンシステム。
【請求項２】
室内装置の端末間通信中継手段は、住人の複数の携帯電話端末のうち最優先に応答があった携帯電話端末に対して端末間通信を確立することを特徴とする請求項１記載の集合住宅用インターホンシステム。
【請求項３】
玄関装置に、そのインターフェースに接続された携帯電話端末を着信待ち受けモードから認証モードとして玄関装置からの取り外しをロックし、室内装置側から認証ＯＫの応答があったときそのロックを解除するとともに、着信待ち受けモードに戻す端末ロック手段を備えたことを特徴とする請求項１又は２記載の集合住宅用インターホンシステム。
【請求項４】
室内装置の端末間通信中継手段は、端末間通信を設定時間だけ許容し、玄関装置のインターフェースに接続された携帯電話端末と部屋の住人の携帯電話端末とのいずれか一方が切断したとき、端末ロック手段に対してロック解除を指令することを特徴とする請求項３記載の集合住宅用インターホンシステム。
【請求項５】
室内装置の電話番号認証手段は、玄関装置に接続された携帯電話端末の電話番号が、自動解錠を許容する番号として電話帳データベースに登録されていたとき、玄関装置に認証ＯＫの応答をするとともに、共同玄関のドアの自動解錠を可能にすることを特徴とする請求項１、２、３又は４記載の集合住宅用インターホンシステム。
【請求項６】
室内装置の端末間通信中継手段は、玄関装置のインターフェースに接続された携帯電話端末と部屋の住人の携帯電話端末とがテレビ電話機能付きであるか否か判断し、共にテレビ電話機能付きである場合、これら端末間のテレビ電話通信を可能にすることを特徴とする請求項１、２、３、４又は５記載の集合住宅用インターホンシステム。
【請求項７】
玄関装置に、インターフェースに接続された携帯電話端末の電話番号を接続履歴として保存する履歴保存手段を備えたことを特徴とする請求項１、２、３、４、５又は６記載の集合住宅用インターホンシステム。
【請求項８】
玄関装置の端末ロック手段は、同じ電話番号が履歴保存手段に設定回数以上連続して保存された場合、異常時のロック状態とすることを特徴とする請求項７記載の集合住宅用インターホンシステム。
【発明の詳細な説明】
【技術分野】
【０００１】
本発明は、オートロック型エントランスゲートと携帯電話端末の持つ簡易性かつ機能性を融合させ、マンション等の集合住宅のオートロック型ドアのセキュリティー機能を向上させたインターホンシステムに関するものである。
【背景技術】
【０００２】
昨今、親元を離れ、都会で一人暮らしをする人口は加速的に多くなっている。こういった人口の大半はマンションやアパートで暮らし、そこから学校や会社へ向かう。そのため、その生活スタイルから、自宅となるマンションやアパートへの来訪者は自身の他には友人や恋人、家族など、少数の知り合いに限定される。裏を返すと、それ以外の来訪者はとくに来訪を期待していない者が多い。忙しい一人身の生活で夜遅くの帰宅や休日にゆっくり寝ていたい時に、一人暮らしを狙った訪問セールスや悪質な勧誘などがくるケースはとても多い。最近ではなんらかの手段で住所を突き止めて、不在状況を確認するようなストーカー犯罪や、探偵調査なども都心ではよく起こる行為となった。現状のインターホンのシステムだと、そのような本来、わざわざ会話をしたくもない人たちに対しても、わざわざインターホン間で話さなければならず、しかもそういう類の人たちとの会話はなかなか終わらせようとしない。時にはトラブルに発展することもある。住民にストレスなく、これらのトラブルを回避するためには、根本的に従来のインターホンのシステムを変え、不要な来訪者への会話自体を成立させないようにする必要がある。
【０００３】
一般に、マンション等における集合住宅用インターホンシステムは、共同玄関に設置され、キー操作にて所望の部屋呼び出しを行う玄関装置と、これと有線接続して部屋内に設置され、それからの呼び出しに応じて共同玄関のオートロック型ドアを解錠できる室内装置とからなっている。
【０００４】
マンションに住む家族や知人を訪ねる際に、オートロック型ドアの前で部屋番号などのナンバーキーを押して、部屋にいる人を呼び出し、開けてもらうのが通常である（ドアの解除キーや解除パスは普通、本人以外には告知されることはない。）。前もって来訪が分かっている人に対しての呼び鈴には問題ないが、昨今は、上記のように一人暮らしを狙った悪質な業者や、引き下がらない勧誘、たちの悪いいたずらなどで、部屋の呼び鈴を鳴らされるケースが多い。見に覚えのない呼び鈴はプライベートの侵害でしかなく、時には恐怖すら覚えてしまうものである。部屋の住人がロック解除に応じなければ、それらの招かざる者の進入は回避できるものの、何度も呼び鈴を連呼されたり、会話をやめようとしない者の排除はできない。最悪のケースを想定すると、空き巣などはまず、呼び鈴を鳴らすことで、部屋の住人の不在状況を確認してから犯行に移ることも多く、こうしたことを防ぐ為にも事前アポイントのない第三者に対しては、極力、部屋の不在情報を与えないようにすることもセキュリティー強化に繋がることになる。
【０００５】
携帯電話端末を利用したインターホンシステムを開示した文献として、特許文献１（特開２００６−１８４９８５号公報）など、また、携帯電話端末を利用したドアの施錠・解錠システムを開示した文献として、特許文献２（特開２００６−３４５４４４号公報）などが存在する。
【０００６】
特許文献１に記載のものは、呼鈴ボタンを押すとインターホン装置に登録されている電話番号の携帯電話端末に発呼され、インターホン装置で撮影した画像が携帯電話端末のディスプレイに表示されるとともに、通話できるようにしたもので、携帯電話端末を利用することにより、利便性・簡易性の向上はあるものの、そのシステム自体にセキュリティー強化を図っていない。
【０００７】
特許文献２に記載のものは、携帯電話端末の電話番号を施錠／解錠のための識別情報として登録してドアを開閉し、また、その登録・削除を管理者用携帯電話機のみで行えるようにしたものであるが、携帯電話端末に対する電源供給については考慮されておらず、携帯電話端末の電池が切れていると、ドアを開錠することができず、汎用性が低い。
【特許文献１】特開２００６−１８４９８５号公報
【特許文献２】特開２００６−３４５４４４号公報
【発明の開示】
【発明が解決しようとする課題】
【０００８】
本発明は、共同玄関に設置され、キー操作にて所望の部屋呼び出しを行う玄関装置と、これと有線接続して部屋内に設置され、それからの呼び出しに応じて共同玄関のドアを解錠できる室内装置とからなる集合住宅用インターホンシステムにおいて、第１の課題は、携帯電話端末を利用した玄関装置及び室内装置を介する住人への呼び出しが、携帯電話端末の電源切れ状態でも可能になるようにするとともに、その呼び出しが、予め電話帳登録された特定の電話番号の携帯電話端末しかできない仕組みにすることにより、応答したくない来訪者による不快な呼び出しを回避できるとともに、オートロック型ドアのセキュリティー機能を向上させることができ、また、部屋の住人は、室内装置を直接利用しなくとも自身の携帯電話端末を利用して来訪者と会話をすることができるようにすることにある。
【０００９】
第２の課題は、携帯電話端末を利用することによる利便性・簡易性を担保しながら、悪用を防止できるようにすることにある。
【課題を解決するための手段】
【００１０】
請求項１に係る本発明の集合住宅用インターホンシステムは、玄関装置に、携帯電話端末をインターフェースに接続することによりそれに電源供給しながらその電話番号を読み取り、呼び出し対象の部屋の前記室内装置へ送信する電話番号読取手段を備え、また、室内装置には、玄関装置から送信されてきた電話番号を電話帳データベースと照合することにより、来訪者を認証する電話番号認証手段と、これにて認証ＯＫとされたとき、当該部屋の住人の携帯電話端末と無線接続し、玄関装置に接続された携帯電話端末との端末間通信を可能にする端末間通信中継手段とを備える。
【００１１】
その好ましい形態である請求項２に係る発明は、室内装置の端末間通信中継手段が、住人の複数の携帯電話端末のうち最優先に応答があった携帯電話端末に対して端末間通信を確立する。
【００１２】
同じく請求項３に係る発明は、玄関装置に、そのインターフェースに接続された携帯電話端末を着信待ち受けモードから認証モードとして玄関装置からの取り外しをロックし、室内装置側から認証ＯＫの応答があったときそのロックを解除するとともに、着信待ち受けモードに戻す端末ロック手段を備える。
【００１３】
同じく請求項４に係る発明は、室内装置の端末間通信中継手段が、端末間通信を設定時間だけ許容し、玄関装置のインターフェースに接続された携帯電話端末と部屋の住人の携帯電話端末とのいずれか一方が切断したとき、端末ロック手段に対してロック解除を指令する。
【００１４】
同じく請求項５に係る発明は、室内装置の電話番号認証手段の機能として、玄関装置に接続された携帯電話端末の電話番号が、自動解錠を許容する番号として電話帳データベースに登録されていたとき、玄関装置に認証ＯＫの応答をするとともに、共同玄関のドアの自動解錠を可能にする。
【００１５】
同じく請求項６に係る発明は、室内装置の端末間通信中継手段の機能として、玄関装置のインターフェースに接続された携帯電話端末と部屋の住人の携帯電話端末とがテレビ電話機能付きであるか否か判断し、共にテレビ電話機能付きである場合、これら端末間のテレビ電話通信を可能にする。
【００１６】
同じく請求項７に係る発明は、玄関装置に、インターフェースに接続された携帯電話端末の電話番号を接続履歴として保存する履歴保存手段を備える。
【００１７】
同じく請求項８に係る発明は、玄関装置の端末ロック手段の機能として、同じ電話番号が履歴保存手段に設定回数以上連続して保存された場合、異常時のロック状態とする。
【発明の効果】
【００１８】
本発明によると次のような効果がある。
＜効果１＞迷惑な第三者、勧誘などの来訪を、部屋の住人が気を煩わせることなく排除することができる。
（理由）電話帳に登録されていないような他人に関しては、来訪したことも気がつかないため気に病むこともなく、また、悪意で押しかけてきた者も、本システムの性質上、本人に通知されない為、嫌がらせにもならない。
＜効果２＞携帯電話端末の電話帳機能を利用することで、来訪者が部屋の住人の関係者であるかないかを判別することができる。アポイントメントのない第三者に対して、住人の不在情報を秘匿にし、来訪を遮断することができる。携帯電話端末の電話帳機能を利用して、オートロックドアのセキュリティーレベルを向上化させることができる。
（理由）インターホンが鳴るのは基本的に部屋の住人の電話帳に登録されている人のみであるので、安心して応答に答えることができる。
＜効果３＞携帯電話端末の電源は接続されている装置から利用するため、電池切れの心配なく携帯電話端末をセキュリティーキーとして使用することができる。
（理由）携帯電話端末を直接玄関装置に接続するため、電源は玄関装置からの供給することができる。
＜効果４＞住人自身の携帯電話端末自体が認証鍵となり、オートロックの鍵が不要になる。
（理由）外出の際に管理するべきアイテムが減る。また、鍵を紛失した時にマンション内の他住民に与える影響もなくなる。
＜効果５＞携帯電話端末に備わっていれば、どの部屋でも画像付きのインターホンが使うことができる。
（理由）マンションは音声のみのインターホン設置が多いが、本システムならば、すべての部屋で画像付きのインターホンが使うことができる。また、携帯電話端末間での通信なので、備え付けのＴＶ画像装置よりも高いセキュリティーレベルが望める。
＜効果６＞ヒューマンインタフェースが自身の携帯電話端末になるので、環境が変わっても同一の操作のインターホン装置となる。
（理由）同システムが設置されているマンションならば、引越ししても、電話帳の転送をするだけで、以前と同じ操作感覚でインターホンが使用できる。
＜効果７＞一定時間だけの限定通信、同一電話番号による連続コネクトロックにより、悪質な乱用を防ぐことができる。
（理由）本インターホンシステムの悪用したケースを防ぐことが可能。さらに、一定期間分の利用履歴の装置内に残しておくことで、重要な問題が発生した時のシステム利用者を携帯電話番号の履歴から割り出すことができる。
【発明を実施するための最良の形態】
【００１９】
次に、本発明の実施例を図面に基づいて詳細に説明する。
【実施例】
【００２０】
図１を参照して本実施例のインターホンシステムの構成を説明すると、マンション等の集合住宅の玄関装置２は、共同玄関のオートロック式ドア５近傍に設置され、従来と同様に、ナンバーキー４を押して呼び出す部屋番号をディスプレイ１１に表示できるとともに、ドア５の解錠を行えるようになっている。このような機能に加えて、玄関装置２には、来訪者の携帯電話端末３を差し込み接続できるとともに、差し込んだ来訪者側携帯電話端末３に電源供給できるインターフェース２ａが備えられているほか、このインターフェース２ａから携帯電話端末３に電源供給しながらその電話番号を読み取る電話番号読取部（図示せず）と、インターフェース２ａへの接続履歴を保存する記憶装置が内蔵されている。インターフェース２ａは、差し込まれた携帯電話端末３を外せないように機械的にロックできるようになっている。
【００２１】
一方、集合住宅の各部屋に設置された室内装置７は、玄関装置２からの呼び出しに応ずることができるように、これと集合住宅内の配線（有線）１４にて接続されている。室内装置７には、従来と同様に、玄関装置２との間で会話を行うスピーカマイク１２及び会話ボタン１３、玄関装置２を介してドア５の解錠を行う解錠スイッチ１０が備えられている。これに加えて、室内装置７には、電話帳データベース９と、玄関装置２の電話番号読取部から送信されてきた電話番号を電話帳データベース９と照合することにより、来訪者を認証するＣＰＵによる電話番号認証部（図示せず）と、これにて認証ＯＫとされたとき、当該部屋の住人の携帯電話端末８と無線接続し、玄関装置２に接続された来訪者携帯電話端末３との端末間通信を可能にする端末間通信中継部（図示せず）とが内蔵されている。
【００２２】
電話帳データベース９には、部屋の住人６の住人側携帯電話端末８の電話帳を登録しておく。その登録は、赤外線通信などで上記端末間通信中継部へ送信することで可能とする。家族や同居者がいて、複数の住人側携帯電話端末８が存在する場合には、それらすべての電話帳を登録する。本例では、室内装置７と住人側携帯電話端末８を室内無線ＬＡＮでデータのやり取りする装置を想定している。
【００２３】
来訪者１は、玄関装置２のインターフェース２ａに来訪者側携帯電話端末３を接続した状態で玄関装置２上のナンバーキー４から部屋番号を押下する。玄関装置２にて入力された部屋番号情報から室内装置７にアクセスし、室内装置７に保存されている電話帳データベース９から来訪者側携帯電話端末３の電話番号情報を検索する。電話番号が電話帳データベース９から見つかると、来訪者１は部屋の住人６の知人ということが証明され、部屋の呼び鈴が鳴る。図１にその状態を示す。
【００２４】
ここで、来訪者１が部屋の住人６の知人でない、または部屋の住人６の電話番号をなんらかの手段で知っていても、電話帳に登録されていない人の場合には、呼び鈴がならない為、応答がない。その場合、玄関装置２のディスプレイ１１に『未認証の電話番号です』という表示のみ出力させるようにし、来訪者１には部屋の住人６の不在状況は一切通知しないようにする。ピザやそば屋などの食事の出前などに関しては、予め、配達員に業務用の携帯電話端末を持たせてその業務用携帯電話端末を住人に電話帳登録してもらうようにすれば良い。これは店側のセキュリティー配慮として、当然実施するべき行為などで特に問題ないことである。部屋の住人６の住人側携帯電話端末８自体を玄関装置２のインターフェース２ａに接続して部屋番号を押すと、本人認証となり、その場合には呼び鈴ではなく、ドア５が開くようにする。つまり、住人側携帯電話端末８がドアの鍵代わりとなる。インターフェース２ａに携帯電話端末３を接続すると、その携帯電話端末３に電源供給されるので、携帯電話端末３が電池切れとなっている状態でも使える。
【００２５】
次に、呼び鈴認証された後の仕組みだが、認証ＯＫ後は、来訪者１の来訪者側携帯電話端末３が玄関装置２からの認証ＯＫの応答信号を受け取り、部屋の住人６の住人側携帯電話端末８が、室内装置７からの認証ＯＫの応答信号を無線で受け取った際に、それぞれＴＶ電話通信が開始される。どちらかの携帯電話端末がＴＶ電話非対応の端末の場合には、自動的に音声電話となる。図２にその状態を示す。
【００２６】
部屋に２人以上の住人が住んでおり、室内装置７の電話帳データベース９に共通して登録されている来訪者の呼び鈴に対しては、登録した部屋の住人６全員の住人側携帯電話端末８にコールされ、最も先に応答した住人の携帯電話端末と通信が確立されることとする。
【００２７】
次に、室内装置７に対する設定の切り替えについて説明する。上記で説明したのは部屋の住人６の住人側携帯電話端末８が待ち受け状態中の場合であり、もし住人側携帯電話端末８が通信中（会話中、メール送受信中、パソコン接続中など）の場合には、それを判断し、室内装置７のスピーカーマイク１２から呼び鈴がなる。この場合、通常のインターホンと同様の操作で、会話ボタン１３を押している最中、玄関装置２との音声会話が可能となる。部屋の住人６の住人側携帯電話端末８が室内装置７の無線応答を捉えない時は、部屋の住人６が不在状態と判断され、玄関装置２のディスプレイ１１に『不在か、もしくは電源が行ってません』の表示を出力する。図３にその状態を示す。
【００２８】
図４のシーケンス図、図５及び図６のフローチャートを参照して、上記のような実施例の動作を具体例を挙げて補足説明する。
来訪者側携帯電話端末３は、玄関装置２と接続した時点で、通常の待受状態とは異なり、本システムの対応専用のモードに切り替わる（図５のステップＳ１）。便宜上、ここでは「認証モード」と名づける。「認証モード」中は他通信の割り込みはできない状態とし、この間にかかってくる着信はすべて通話中と同様の扱いとする。
【００２９】
また、玄関装置２が来訪者側携帯電話端末３をインターフェース２ａに対して機械的にロックするようにし、「認証モード」が解除されるまではロック解除できない仕様とする。これは認証中の取り外し誤動作と、装置の乱用を防止するための縛りである。また、来訪者側携帯電話端末３への電源は玄関装置２から供給されるものとし、来訪者側携帯電話端末３の電池がない状態でも、本システムは動作できる仕組みとする。玄関装置２は基本的にスタンバイ状態とし、携帯電話端末３が差し込まれるとスタンバイから復帰し、動作可能な状態になる（ステップＳ２）。
【００３０】
次に、室内装置７の電話帳検索の動作について、例を挙げて説明する。
今、部屋番号３３には３人（Ａ，Ｂ，Ｃ）が同居しているものとし、３人とも在宅の時にＡ，Ｂの共通の知人Ｄがマンションに訪ねに来たことを想定する。住人Ａ，Ｂの携帯電話端末８の電話帳には、来訪者Ｄの携帯電話端末番号が登録されているので、室内装置７の電話帳データベース９にその電話番号が登録済みである。
【００３１】
来訪者Ｄがマンションのドア前に来て、自分の携帯電話端末３を玄関装置２のインターフェース２ａに差し込み、ナンバーキーから『３３』を押下すると（ステップＳ５）、来訪者Ｄの携帯電話端末３の電話番号が玄関装置２の電話番号読取部で読み取られ（ステップＳ３）、部屋の室内装置７にデータが届き、電話帳データベース９を検索した結果、住人Ａ，Ｂの電話帳に登録されていることが分かると、部屋内にある住人ＡとＢの携帯電話端末８に着信がある。Ａはお風呂に入っていたため、自分の携帯電話端末８がとれず、Ｂが自分の携帯電話端末８の着信を受け取り、通信が始まると、Ａへの着信応答も終了する。この時、住人Ｂの携帯電話端末８と来訪者Ｄの携帯電話端末３とが互いにＴＶ電話できる機種のものであれば、通信はＴＶ電話となる（ステップＳ６〜Ｓ１７）。Ｂ，Ｄどちらかの携帯電話端末がＴＶ電話非対応の機種の場合には自動的に音声通話になる（ステップＳ１８、Ｓ１９、Ｓ２０）。なお、同じ部屋に複数の住人側携帯電話端末８が存在した場合には、そのうち最優先に応答があった携帯電話端末に対して端末間通信を確立する。
【００３２】
悪用防止のための対策として、玄関装置２に接続された携帯電話端末番号の履歴は玄関装置２内の記憶装置にある程度保存されるようにする。また、同一携帯番号が連続３回以上接続された場合、玄関装置２の機械的ロックがかかり、玄関装置２から来訪者側携帯電話端末３を外せなくなるようにする。そして、「認証モード」から「緊急モード」に切り替え、その携帯電話端末番号から、予め登録してある警備会社などに連絡が行くようする。そこで、ロックをかけてしまった者は、その場で警備会社の人にその事情を説明し、警備会社側からロック解除をしないと携帯電話端末が取り出せないようにする（ステップＳ２１）。
【００３３】
玄関装置２のインターフェース２ａに差し込んだ携帯電話端末が、住人のものである場合には（ステップＳ６でＹＥＳのとき）、その電話番号が住人のものとして電話帳データベース９に登録済みであるため、ドア５が自動的に開くとともに、携帯電話端末のロックが解除され、玄関装置２の記憶装置に携帯電話端末の接続履歴が残り、その携帯電話端末は通常の待受状態に戻る（ステップＳ２２）。
【００３４】
玄関装置２のインターフェース２ａに差し込んだ携帯電話端末が登録されていない場合（ステップＳ７でＮＯのとき）には、玄関装置２のディスプレイ１１に未認証である旨が表示されてその携帯電話端末のロックが解除され、玄関装置２の記憶装置に携帯電話端末の接続履歴が残り、その携帯電話端末は通常の待受状態に戻る（ステップＳ２３）。
【００３５】
部屋内の携帯電話端末８がいずれも応答しない場合（ステップＳ１２でＮＯ）、及び、電源が入っていない場合（ステップＳ２４でＮＯ）には、玄関装置２のディスプレイ１１に不在か、または電源が入っていないことが表示されてその携帯電話端末のロックが解除され、玄関装置２の記憶装置に携帯電話端末の接続履歴が残り、その携帯電話端末は通常の待受状態に戻る（ステップＳ２５）。住人が部屋内の携帯電話端末８で応答し、会話ボタン１３を押すと、一般のインターホンと同様の会話ができる（ステップＳ２６）。
【００３６】
なお、上記の「認証モード」中の通信に関しては、利用者側には通信費が発生しないことを想定している。その為、それを悪用した長時間会話を防ぐために、「認証モード」中の通信に関しては３分間の限定制限をかける（ステップＳ２７、Ｓ２８、Ｓ２９のそれぞれ）。本来、来客者のための認証をする目的のツールであるため、３分間の会話で事足りると考えている。この制限と、先に記述した３回の連続接続ロックによって、同一利用者の長時間独占利用を防ぐことができる。ロックがかかってしまった際に他の利用者がドアを開けられなくなることを回避するために、玄関装置２のインターフェース２ａは複数用意されているものとする。
【００３７】
来訪者側携帯電話端末３又は住人側携帯電話端末８のいずれかが切断されると（ステップＳ３０、Ｓ３１、Ｓ３２のそれぞれでＹＥＳ）、玄関装置２のインターフェース２ａに差し込まれた来訪者側携帯電話端末３のロックが解除され、玄関装置２の記憶装置に携帯電話端末の接続履歴が残り、その携帯電話端末は通常の待受状態に戻る（ステップＳ３３）。
【００３８】
上記の実施例では、部屋の住民の携帯電話端末が無線サーチで検索できない場合には、すぐに不在と来訪者に通知してしまうシステムであるが、機能を切り替えることで、室内装置７側から外出している部屋の住民の携帯電話端末で連絡をすることも技術的に可能である。
【００３９】
また、上記の実施例では、電話帳データベース９を室内装置７に持たせたが、室内装置７以外の外部のサーバに持たせて、室内装置７からそのサーバへアクセスするようにしてもよく、また、サーバ自体が室内装置７を兼ねるようにしてもよい。
【産業上の利用可能性】
【００４０】
本発明によるシステムは、マンションなどの集合住宅に限らず会員制の店などのエントランスゲートなどにも利用できる。
【図面の簡単な説明】
【００４１】
【図１】本発明の実施例のインターホンシステムの構成図で、部屋の住人の携帯電話端末が呼び出された場合である。
【図２】同じく住人側携帯電話端末と来訪者側携帯電話端末との通信が可能となった場合である。
【図３】通信が不能の場合である。
【図４】動作のシーケンス図である。
【図５】動作例を示すフローチャートである。
【図６】図５に続くフローチャートである。
【符号の説明】
【００４２】
１  来訪者
２  玄関装置
２ａ  インターフェース
３  来訪者側携帯電話端末
４  ナンバーキー
５  ドア
６  住人
７  室内装置
８  住人側携帯電話端末
９  電話帳データベース
１０  解錠スイッチ
１１  ディスプレイ
１２  スピーカマイク
１３  会話ボタン
１４  配線
【図１】
2009124394.tif 000003
【図２】
2009124394.tif 000004
【図３】
2009124394.tif 000005
【図４】
2009124394.tif 000006
【図５】
2009124394.tif 000007
【図６】
2009124394.tif 000008